(57)【要約】【課題】  本発明は、画面が切替わるときに発生する利用者の誤入力を防止する、写真シール作成装置、写真シール作成装置の制御方法、写真シール作成装置の制御プログラムを提供することを目的とする。【解決手段】  ＣＰＵ１０３ｂは、編集初期設定が終了すると、編集操作モニタ２１に表示している画像転送待機画面をクリアして、編集画面を表示する。ついで、タイマ２００ｂによって計時（カウント）を開始する。例えばこのとき、タッチパネル２２にタッチペン２０による入力があった場合でも、該入力は無視する。そして、ＣＰＵ１０３ｂは、タイマ２００ｂによる計時が所定時間（ここでは２秒）を経過した場合、タッチペン２０の入力を受付けて、利用者の入力操作に応じて入力処理を開始する。  【選択図】        図１０
2007079929.tif 000002
【特許請求の範囲】
【請求項１】
被写体を撮影する撮影手段と、撮影手段で撮影した画像を編集する編集手段と、編集手段で編集した画像を印刷する印刷手段とを備え、
前記撮影手段による撮影と、前記編集手段による編集と、前記印刷手段による印刷と、前記撮影、編集及び印刷の準備との複数の工程を順次実行することによって写真シールを作成する写真シール作成装置において、
利用者からの入力を受付けるための画面を表示する表示手段と、
前記表示手段に表示された画面に対する利用者からの入力を受付ける受付手段と、
前記表示手段の画面を工程毎に各工程に対応する画面に切替えて表示し、前記表示手段の画面を切替えてから所定の時間が経過してから、前記受付手段による入力の受付を開始するよう制御する制御手段とを備える写真シール作成装置。
【請求項２】
前記制御手段は、前記表示手段の画面を切替えてから所定の時間が経過するまでは、工程の説明画面を表示することを特徴とする請求項１に記載の写真シール作成装置。
【請求項３】
被写体を撮影する撮影手段と、撮影手段で撮影した画像を編集する編集手段と、編集手段で編集した画像を印刷する印刷手段とを備える写真シール作成装置の制御方法であって、
前記撮影手段によって、撮影を行う撮影ステップと、
前記撮影ステップで撮影した画像を前記編集手段によって編集を行う編集ステップと、
前記編集ステップで編集した画像を前記印刷手段によって印刷する印刷ステップと、
前記撮影ステップと編集ステップと印刷ステップとの進行に応じて、前記表示手段の画面を切替える切替ステップと、
前記切替ステップで、前記表示手段の画面を切替えてから所定の時間が経過してから、前記受付手段による入力の受付を開始する入力受付開始ステップとを含む写真シール作成装置の制御方法。
【請求項４】
被写体を撮影する撮影手段と、撮影手段で撮影した画像を編集する編集手段と、編集手段で編集した画像を印刷する印刷手段とを備える写真シール作成装置で実行される制御プログラムであって、
前記撮影手段によって、撮影を行う撮影ステップと、
前記撮影ステップで撮影した画像を前記編集手段によって編集を行う編集ステップと、
前記編集ステップで編集した画像を前記印刷手段によって印刷する印刷ステップと、
前記撮影ステップと編集ステップと印刷ステップとの進行に応じて、前記表示手段の画面を切替える切替ステップと、
前記切替ステップで、前記表示手段の画面を切替えてから所定の時間が経過してから、前記受付手段による入力の受付を開始する入力受付開始ステップとを実行する写真シール作成装置の制御プログラム。
【発明の詳細な説明】
【技術分野】
【０００１】
本発明は、写真シール作成装置、写真シール作成装置の制御方法及び写真シール作成装置の制御プログラムに関し、特に、画面が切替わったときに発生する利用者の誤入力を防止する写真シール作成装置、写真シール作成装置の制御方法及び写真シール作成装置の制御プログラムに関する。
【背景技術】
【０００２】
ゲームセンタなどの遊戯施設には、利用者を被写体としてカメラで撮影し、その写真をシールシートに印刷して販売する写真シール作成装置が設置されている。これらの写真シール作成装置は、利用者を撮影して写真画像を取得する撮影装置と、撮影画像をタブレットディスプレイなどに表示し、付属のタッチペンで文字や図形などを入力して画像を編集する画像編集装置とを備えたものが一般的になっている。画像編集装置で入力された文字や図形等の画像（編集画像）は写真画像と合成され、その合成画像がプリンタでシールシートに印刷され、利用者に提供される。
【０００３】
このような写真シール作成装置では、上述のタッチペンとタブレットディスプレイにより、編集時の入力操作が行われる。タッチペンを用いた入力装置はタッチしたタブレットディスプレイ上の位置を検出することで情報を入力する装置であって、そのタッチした位置を検出する方法の相違により、抵抗膜方式、電磁誘導方式、静電結合方式（静電容量方式）などを採用した入力装置が存在する。
【０００４】
また、上述のような写真シール作成装置は、撮影装置と画像編集装置とを異なる位置に設置し、複数組の客を夫々の装置で同時に接客するよう制御することが一般的になっている。また、特許文献１に開示されているように、写真シール作成にあたって、複数の工程を含むことが一般的になっている。
【０００５】
【特許文献１】特開２００４−９６７１号公報
【発明の開示】
【発明が解決しようとする課題】
【０００６】
特許文献１に開示されているように、一般的に写真シール作成装置は、写真シール作成に際して複数の工程を含み、夫々の工程毎にタブレットディスプレイに所定の画面を表示するようになっている。このため、利用者は前工程の画面から次工程の画面に切替わる瞬間に、タッチペンで画面をタッチしてしまうことも想定される。このような場合、体感的には前工程の画面をタッチしていても、実際には次工程の画面をタッチしてしまっているということがある。
【０００７】
上述の課題は、とくに編集工程時に撮影工程で取得した画像を準備している間に表示される画像転送中の待機画面から編集画面に切替わるときに顕著である。待機時間は心理的にイライラしやすいため、利用者は、タブレットディスプレイに表示される待機画面をタッチペンで数回トントントントンと叩くことがある。このような行為は利用者の故意でなく、無意識に行われることが多いため、防止が困難である。そして、上述の画像転送中の待機画面から編集画面に切替わったときに、偶然タッチペンで叩いている箇所が、編集画面上の「おしまいボタン」など、編集を強制的に終了するようなボタンの領域であった場合に、突然編集工程が終了してしまい利用者が困惑するという問題があった。
【０００８】
また、写真シール作成装置の編集画面の画面構成は流行やその機種毎のコンセプトがあるため、前機種の編集画面の画面構成と異なる場合がある。そのような場合、前機種の編集画面の画面構成に慣れている利用者は、待機画面から編集画面に切替わるのと同時に、所望の「ツールボタン」などをタッチペンで無意識にタッチしようとする傾向がある。このとき、前の機種でツールボタンが配置された位置などに、新しい機種では、「おしまいボタン」など、編集を強制的に終了するようなボタンの領域が配置された場合、利用者の意図に反して、「おしまいボタン」をタッチしてしまうということがある。このように、「おしまいボタン」がタッチされた場合、突然編集工程が終了してしまい利用者が困惑するという問題があった。
【０００９】
また、上述のように利用者の意図しない誤入力による処理が実行され、画面進行が行われると、利用者は故障や不具合と思ってしまうため、店舗や製造業者に対するクレームの原因となったり、装置に対する不満となり装置の評判が悪くなったりするという問題があった。
【００１０】
本発明の目的は、画面が切替わったときに発生する利用者の誤入力を防止する写真シール作成装置、写真シール作成装置の制御方法及び写真シール作成装置の制御プログラムを提供することである。
【課題を解決するための手段】
【００１１】
上記課題を解決するために請求項１に記載の発明の写真シール作成装置は、被写体を撮影する撮影手段と、撮影手段で撮影した画像を編集する編集手段と、編集手段で編集した画像を印刷する印刷手段とを備え、前記撮影手段による撮影と、前記編集手段による編集と、前記印刷手段による印刷と、前記撮影、編集及び印刷の準備との複数の工程を順次実行することによって写真シールを作成する写真シール作成装置において、利用者からの入力を受付けるための画面を表示する表示手段と、前記表示手段に表示された画面に対する利用者からの入力を受付ける受付手段と、前記表示手段の画面を工程毎に各工程に対応する画面に切替えて表示し、前記表示手段の画面を切替えてから所定の時間が経過してから、前記受付手段による入力の受付を開始するよう制御する制御手段とを備える。
【００１２】
上記発明によれば、表示手段に表示された画面を切替えてから所定の時間が経過してから、前記受付手段による入力の受付を開始するため、画面が切替わった時に利用者が無意識に意図しない入力を行ったとしても、利用者の意図しない画面進行が行われることを回避することができる。
【００１３】
上記課題を解決するために請求項２に記載の発明は、請求項１に記載の写真シール作成装置において、前記制御手段は、前記表示手段の画面を切替えてから所定の時間が経過するまでは、工程の説明画面を表示することを特徴とする。
【００１４】
上記発明によれば、前記表示手段の画面を切替えてから所定の時間が経過するまでは、工程の説明画面を表示するため、利用者は入力の受付の制限を行っていることに気付き難く、利用者に違和感を感じさせないようにすることができる。また、自然に次の工程に移行できる。さらに、説明画面を表示するため、利用者に次の工程の操作方法などの案内をすることができる。このため、利用者は次の工程の操作をスムーズに行うことができる。
【００１５】
上記課題を解決するために請求項３に記載の発明の写真シール作成装置の制御方法は、被写体を撮影する撮影手段と、撮影手段で撮影した画像を編集する編集手段と、編集手段で編集した画像を印刷する印刷手段とを備える写真シール作成装置の制御方法であって、前記撮影手段によって、撮影を行う撮影ステップと、前記撮影ステップで撮影した画像を前記編集手段によって編集を行う編集ステップと、前記編集ステップで編集した画像を前記印刷手段によって印刷する印刷ステップと、前記撮影ステップと編集ステップと印刷ステップとの進行に応じて、前記表示手段の画面を切替える切替ステップと、前記切替ステップで、前記表示手段の画面を切替えてから所定の時間が経過してから、前記受付手段による入力の受付を開始する入力受付開始ステップとを含む
【００１６】
上記課題を解決するために請求項４に記載の発明の写真シール作成装置の制御プログラムは、被写体を撮影する撮影手段と、撮影手段で撮影した画像を編集する編集手段と、編集手段で編集した画像を印刷する印刷手段とを備える写真シール作成装置で実行される制御プログラムであって、前記撮影手段によって、撮影を行う撮影ステップと、前記撮影ステップで撮影した画像を前記編集手段によって編集を行う編集ステップと、前記編集ステップで編集した画像を前記印刷手段によって印刷する印刷ステップと、前記撮影ステップと編集ステップと印刷ステップとの進行に応じて、前記表示手段の画面を切替える切替ステップと、前記切替ステップで、前記表示手段の画面を切替えてから所定の時間が経過してから、前記受付手段による入力の受付を開始する入力受付開始ステップとを実行する。
【発明の効果】
【００１７】
上記発明によれば、表示手段の画面を切替えてから所定の時間が経過してから、前記受付手段による入力の受付を開始するため、画面が切替わった時に利用者が無意識に意図しない入力を行ったとしても、利用者の意図しない画面進行が行われることを回避することができる。
【発明を実施するための最良の形態】
【００１８】
以下、図面を参照し、本発明の実施の形態を詳しく説明する。図中同一又は相当部分には同一符号を付してその説明は繰り返さない。
【００１９】
１．外観構成
図１は、本発明の実施の形態の写真シール作成装置１の斜視図、図２は、写真シール作成装置１の側面図、図３は、写真シール作成装置１の平面図、図４は、筐体３を背面側から見た斜視図である。
【００２０】
図１〜図３に示すように、写真シール作成装置１は、被写体を撮影する撮影手段であるカメラ２を備えるとともに種々の処理および制御を行う機器を備える筐体３と、この筐体３におけるカメラ２と対向する位置に距離を置いて設けられている背景ユニット４と、筐体３と背景ユニット４の上部に左右一対の天井フレーム５が架設されて形成される撮影ブース６内に移動可能に設けられ、被写体である利用者７の撮影ポーズの形成を補助する撮影用椅子８とを備える。
【００２１】
筐体３における利用者７に対向する側（以下、ユーザ側と記す）の面には、カメラ２のほか、カメラ２が現在撮影している画像をユーザ７に対してリアルタイムで表示し、撮影時の操作手順や選択肢を表示する撮影操作モニタ９と、撮影操作モニタ９に積層されユーザ７からの操作入力を受付けるタッチパネル１０と、撮影時に被写体を照明するストロボや蛍光灯を内部に備える照明装置１１と、コインを投入するためのコイン投入口１２と、撮影用椅子８の一部を収納するために凹状に形成された収納スペース１３と、筐体３内に収容された各種機器のメンテナンス用のフロントドア１４と、撮影操作時に音声案内やＢＧＭを出力する撮影用スピーカ１６（図５参照）とが設けられている。なお、照明装置１３は上記以外に、被写体の側方及び後方にも設けられ、被写体をあらゆる方向から照明する。
【００２２】
また、この筐体３のユーザ側とは反対側（以下、背面側と記す）の面には、図２〜図４に示すように、撮影ブース６において撮影した撮影画像や編集画像を表示する編集操作モニタ２１と、編集操作モニタ２１に積層され、付属のタッチペン２０によりユーザ７からの編集画像の入力を受付けるタッチパネル２２と、編集入力操作時に音声案内やＢＧＭを出力する編集用スピーカ２６（図５参照）とが設けられている。上記タッチペン２０、編集操作モニタ２１、タッチパネル２２、編集用スピーカ２６は、画像編集装置２５Ａを形成する。なお、図中の２３Ａは、この筐体３の背面側が面する空間であってユーザ７が編集入力操作を行うスペースである編集ブース２３Ａである。
【００２３】
さらに、図１〜図４に示すように、この筐体３の一方の側面部にはプリント取出口２４が設けられ、このプリント取出口２４からは、撮影画像と編集入力した画像とを合成した合成画像（編集画像を入力しなかった場合には撮影画像）が筐体３に収納されたプリンタ５５によってシールシートなどの印刷媒体に印刷されたものが排出される。
【００２４】
一方、図１〜図３に示すように、背景ユニット４におけるユーザ７に対向する側（以下、ユーザ側と記す）の上部には、撮影時にユーザ７の背景となる背景手段としての背景カーテン３０を複数種類備えたカーテンユニット３１が設けられている。それぞれの背景カーテン３０は、カーテンユニット３１内に巻き取られた状態で収納されており、カーテンユニット３１は、ユーザ７から撮影操作モニタ９に積層されるタッチパネル１０への操作を介して指定された背景カーテン３０を、背景ユニット４の壁面に沿って垂下させる。
【００２５】
また、背景ユニット４におけるユーザ側とは反対側（以下、背面側と記す）には、筐体３と同様、撮影ブース６において撮影した撮影画像や編集画像を表示する編集操作モニタ２１と、編集操作モニタ２１に積層され、付属のタッチペン２０によりユーザ７からの編集画像の入力を受付けるタッチパネル２２と、編集入力操作時に音声案内やＢＧＭを出力する編集用スピーカ２６（図５参照）とが設けられている。上記タッチペン２０、編集操作モニタ２１、タッチパネル２２、編集用スピーカ２６は、画像編集装置２５Ｂを形成する。なお、図中の２３Ｂは、この背景ユニット４の背面側が面する空間であってユーザ７が編集入力操作を行うスペースである編集ブース２３Ｂである。
【００２６】
上記の撮影ブース６および編集ブース２３Ａ、２３Ｂ（これらをまとめて編集ブース２３という）の周囲には、ユーザ７がそれぞれのブースにおいて操作処理を行う際に、他の利用者から画像等の内容が見えないようにするための周囲カーテンが設けられているが、図面の煩雑化を避けるため、図示は省略している。
【００２７】
この写真シール作成装置１を利用する場合、まず利用者はコイン投入口１２にコインを投入する。コインを受付けると、写真シール作成装置１は利用可能な状態にあればその旨を案内する。利用者はその案内に従って、開放されている側面から撮影ブース６に入り、筐体３のユーザ側に向かって撮影操作を行う。撮影終了後、ユーザ７は指定されたいずれかの編集ブース２３に移動し、今度は編集操作モニタ２１に向かって背景画像、フレーム、スタンプ、線書きなどの編集画像の入力等を行う。
【００２８】
２．機能構成
図５を参照して、写真シール作成装置１は、撮影処理を実行する撮影用コンピュータ装置１０１ａと、編集処理を実行する編集用コンピュータ装置１０１ｂと、動作中のコンピュータ装置１０１ａ，１０１ｂからの指示を受け付けて、接続されている各種装置を制御する制御基板１０２とを備える。撮影用コンピュータ装置１０１ａと編集用コンピュータ装置１０１ｂとは互いに接続され、画像データなどの授受をピアツーピアで行う。これらは写真シール作成装置１の制御手段として機能する。
【００２９】
コンピュータ装置１０１ａ，１０１ｂは、ＣＰＵ(Central Processing
Unit)１０３ａ，１０３ｂと、本装置に所定の処理を実行させるためのプログラム、処理に必要なグラフィックデータ、音声データ、撮影された写真画像、入力された編集画像を記憶する記憶手段であるＨＤＤ（Hard
Disk Drive）１０４ａ，１０４ｂと、プログラムの一時的な作業領域となるメモリ１０５ａ，１０５ｂと、撮影、編集など各工程の時間を管理するために計時するタイマ２００ａ，２００ｂとを含む。
【００３０】
撮影用コンピュータ装置１０１ａは、撮影ブース６での撮影処理を実行する。具体的には、撮影処理のプログラムの実行や、利用者の指等のタッチによりタッチパネル１０で受付けた入力操作にしたがった指示信号に基づいて、制御基板１０２に対して制御信号を送信する。また、撮影用コンピュータ装置１０１ａは、カメラ２、撮影操作モニタ９、制御基板１０２と接続されそれらを制御する。
【００３１】
タッチパネル１０は、撮影操作モニタ９の上に積層されている。タッチパネル１０は、利用者の指等の接触を検知し、それに応じた指示信号を撮影用コンピュータ装置１０１ａに送信する。撮影操作モニタ９は、撮影用コンピュータ装置１０１ａから送信された画像、具体的には、カメラ２で撮像された写真画像、撮影のための案内、選択肢など表示する。
【００３２】
編集用コンピュータ装置１０１ｂは、編集ブース２３での編集処理及び印刷処理を実行する。具体的には、編集用コンピュータ装置１０１ｂは、編集プログラム及び印刷プログラムを実行し、タッチパネル２２に対するタッチペン２０による入力操作に応じた信号を編集用コンピュータ装置１０１ｂに送信する。具体的には、上述のタッチペン２０は、先端とは反対方向に伸びるケーブルよりタッチパネル２２を積層する編集操作モニタ２１を含む画像編集装置などの本体と接続されており、ケーブルを介して、検出されたペンスイッチＯＮ／ＯＦＦを示すペンスイッチ信号と、タッチペンの先（検出軸）が指示するタブレットディスプレイの位置を示す座標信号とを含む検出信号を編集用コンピュータ装置１０１ｂに送出する。
【００３３】
また、編集用コンピュータ装置１０１ｂは、プリンタ５５、編集操作モニタ２１、制御基板１０２に接続され、それらを制御する。
【００３４】
編集用コンピュータ装置１０１ｂ内のＨＤＤ１０４ｂは、画像編集プログラムを記憶する。ＨＤＤ１０４ｂはさらに、編集画像を記憶する。また、後に説明するように編集画像を入力するためのマスク画像や領域データ画像などを記憶する。
【００３５】
プリンタ５５は、撮影画像と編集画像の合成画像をシール紙等の印刷媒体に印刷する。この実施の形態のプリンタ５５は画像をシール紙に印刷するが、印刷媒体はシール紙に限定されることなく、他の印刷媒体でもよい。
【００３６】
タッチパネル２２は、編集操作モニタ２１の上に積層されている。タッチパネル２２は、左右のタッチペン２０の接触を検知し、それに応じた指示信号を画像編集用コンピュータ装置１０１ｂに送信する。編集操作モニタ２１は、編集用コンピュータ装置１０１ｂから送信された画像、具体的には、画像編集処理の最中には描画された編集画像を写真画像上に重ねて表示する。
【００３７】
制御基板１０２は、コンピュータ装置１０１ａ，１０１ｂの他に、ストロボ制御部１１０、ストロボ１７、蛍光灯１８、背景制御部１１１、コイン制御部１１２、サービスパネル１１３、印刷中ＬＥＤ５２、印刷エラーＬＥＤ５３、に接続される。
【００３８】
ストロボ制御部１１０はカメラ２に接続され、カメラ２のシャッタタイミングに応じて発光するようにストロボ１７を制御する。
【００３９】
背景制御部１１１は制御基板１０２を介して撮影用コンピュータ装置１０１ａに接続される。撮影用コンピュータ装置１０１ａの指示信号に基づいて、背景制御部１１１は、カーテンユニット３１の必要な背景カーテン３０を巻取り、あるいは繰り出しを行うよう制御する。
【００４０】
撮影用スピーカ１６は、撮影空間２に配備され、撮影用コンピュータ装置１０１aから制御基板１０２を介して与えられる指示信号に基づいて、撮影プレイのための操作方法などの案内やＢＧＭなどを出力する。編集用スピーカ２６は、編集ブース２３に配備され、編集用コンピュータ装置１０１ｂから制御基板１０２を介して与えられる指示信号に基づいて、編集プレイのための操作方法などの案内やＢＧＭなどを出力する。
【００４１】
なお、画像編集装置２５は、上記構成のうち、編集用コンピュータ装置１０１ｂと、タッチペン２０と、編集操作モニタ２１と、タッチパネル２２とを備える。
【００４２】
３．動作
上述した写真シール作成装置１の動作は次のとおりである。
【００４３】
３−１．撮影空間での動作（撮影処理）
まず、撮影ブース６での写真シール作成装置１の動作を説明する。撮影用コンピュータ装置１０１ａのＣＰＵ１０３ａはＨＤＤ１０４ａに記憶されたコンピュータプログラムをメモリ１０５ａに読出して実行することにより、この撮影処理を実現する。
【００４４】
図６のフローチャートを参照して、ＣＰＵ１０３ａは、写真シール作成装置１の利用を促すタイトルデモ画面を撮影操作モニタ９に表示し（Ｓ１１）、その間にコイン制御部１１２において対価であるコインの投入を監視する（Ｓ１２）。タイトルデモ画面の表示中に所定枚数のコインが投入されると（Ｓ１２でＹＥＳ）、ＣＰＵ１０３ａは所定の撮影を実行する（Ｓ１３）。
【００４５】
利用者は、撮影操作モニタ９に表示される案内に従って複数回の撮影を行う。ＣＰＵ１０３ａは、撮影回数が所定回数に達したか否かを判定する（Ｓ１４）。所定回数撮影していない場合（Ｓ１４でＮＯ）、ＣＰＵ１０３ａはステップＳ１３に戻って撮影を繰り返す。一方、所定回数撮影した場合（Ｓ１４でＹＥＳ）、ＣＰＵ１０３ａは、撮影で得られた複数の撮影画像のデータを編集用コンピュータ装置１０１ｂに転送する（Ｓ１５）。ＣＰＵ１０３ａは編集ブース２３で編集するよう促す案内を撮影操作モニタ９に表示した後、ステップＳ１１に戻って再びタイトルデモ画面を表示する。
【００４６】
ここでは撮影回数を制限しているが、撮影時間を制限するようにしてもよい。また、所定回数撮影した後にまだ所定の撮影制限時間が余っている場合や、編集ブース２３で前の利用者がまだ落書きをしている場合は、それらが終了するまで撮影プレイを行えるようにしてもよい。
【００４７】
３−２．編集空間での動作（編集処理及び印刷処理）
次に、編集ブース２３での写真シール作成装置１の動作について説明する。編集用コンピュータ装置１０１ｂのＣＰＵ１０３ｂはＨＤＤ１０４ｂに記憶された編集プログラム及び印刷プログラムをメモリ１０５ｂに読出して実行することにより、編集処理及び印刷処理を実現する。
【００４８】
図７のフローチャートを参照して、ＣＰＵ１０３ｂは、図８に示す待機画面を編集操作モニタ２１に表示する（Ｓ２１）。図示のように待機画面には、撮影プレイから始めるよう促す案内を表示する。
【００４９】
そして、図６に示した撮影処理が終了すると、撮影用コンピュータ装置１０１ａから編集用コンピュータ装置１０１ｂに撮影画像のデータが転送されて来る。ＣＰＵ１０３ｂは、撮影用コンピュータ装置１０１ａが撮影画像のデータの転送を開始したか否かを監視する（Ｓ２２）。
【００５０】
撮影画像のデータの転送が開始された場合（Ｓ２２でＹＥＳ）、ＣＰＵ１０３ｂは、図９が図示する画像転送待機画面を表示して（Ｓ２３）、撮影画像のデータ転送が完了したか否かを監視する（Ｓ２４）。撮影画像のデータ転送が完了しないうちは（Ｓ２４でＮＯ）、引き続きデータ転送の完了を監視する。
【００５１】
撮影画像のデータ転送が完了したら（Ｓ２４でＹＥＳ）、ＣＰＵ１０３ｂは、編集入力処理を行う（Ｓ２５）。編集入力処理の詳細は後述する。
【００５２】
ＣＰＵ１０３ｂは、編集入力処理が終了したら、印刷画像選択画面を表示する（Ｓ２６）。印刷画像選択画面では、撮影画像と、編集入力処理において入力した編集画像とを合成した合成画像を、編集操作モニタ２１に並べて表示する。利用者はモニタに表示された合成画像から、印刷したい画像を選択する。ＣＰＵ１０３ｂは、利用者の選択に基づいて、印刷すべき画像を確定する（Ｓ２７）。
【００５３】
印刷すべき画像を確定後、ＣＰＵ１０３ｂは、印刷レイアウト選択画面を表示する（Ｓ２８）。利用者はモニタに表示された印刷レイアウトから、所望の印刷レイアウトを選択する。ＣＰＵ１０３ｂは、利用者の選択に基づいて、印刷レイアウトを確定する（Ｓ２９）。選択された印刷レイアウトを適用し、画像をプリンタ５５で印刷する（Ｓ３０）。画像を印刷したシール紙は、プリント取出口２４から利用者に提供される。
【００５４】
３−２−１．編集入力処理の第１の実施例
次に、図７のステップＳ２５における編集入力処理の動作の第１の実施例について図１０のフローチャートを用いて説明する。本実施例は、編集画面が表示されても所定の期間（ここでは２秒）は、タッチペン２０による入力を無視し、所定の時間が経過してから入力の受付を開始し入力処理を実行することを特徴とする。
【００５５】
編集入力処理に際して、ＣＰＵ１０３ｂは、まず編集初期設定（Ｓ４１）を行う。編集初期設定では、初期化処理、編集画面の準備などを行う。編集初期設定中は、タッチパネル２２がタッチペン２０による入力があることを検出していても、該入力を無視して入力処理を行わない。すなわち、タッチペン２０の入力を無視する。
【００５６】
なお、本実施例では、前の工程（画像転送待機画面）で、タッチペン２０の入力に対応する処理を行わず、引き続き次の工程（編集画面）の所定時間が経過するまで、タッチペン２０の入力は無視するようになっている。したがって、タッチペン２０による入力を無視するよう新たに指示を行うことはない。しかし、前の工程でタッチペン２０の入力を受付け、次の工程でもタッチペン２０の入力を受付けるような場合は、前工程が終了したときに、ＣＰＵ１０３ｂは、タッチペン２０による入力を無視するように指示する。
【００５７】
編集初期設定が終了したら（Ｓ４２でＹＥＳ）、ＣＰＵ１０３ｂは、編集操作モニタ２１に表示されている画像転送待機画面をクリアして（Ｓ４３）、図１１が図示する編集画面を表示する（Ｓ４４）。このようにして現在実行中の工程に対応する画面に切替える。
【００５８】
上述のように、画像転送待機画面から編集画面を編集操作モニタ２１に切替えて表示する途中で、タッチペン２０による入力があった場合、利用者は、体感的には画像転送待機画面上で入力しているように感じても、実際には編集画面上で入力していることがある。このような場合、該入力は、編集画面上の入力として検出されるので、該入力が利用者の意図しない誤入力となってしまうことがある。そこで、本実施形態における写真シール作成装置は、この時点ではタッチパネル２２がタッチペン２０による入力があることを検出していても、該入力を無視して入力処理を行わないようにする。
【００５９】
ついで、ＣＰＵ１０３ｂは、ステップＳ４４で編集画面を表示するとともに、タイマ２００ｂによって計時（カウント）を開始する（Ｓ４５）。例えば、このときタッチパネル２２のタッチペン２０による入力があった場合でも（Ｓ４６でＹＥＳ）、該入力は無視し（Ｓ４７）、ステップＳ４８へ進む。タッチペン２０による入力がない場合（Ｓ４６でＮＯ）、ステップＳ４８へ進む。ステップＳ４６〜ステップＳ４７は実際の処理中にこのような監視を行っているわけではないが、説明の便宜上処理中に記している。
【００６０】
ＣＰＵ１０３ｂは、タイマ２００ｂによる計時が所定時間（ここでは２秒）を経過したか否かを監視する（Ｓ４８）。タイマ２００ｂによる計時が所定時間を経過していない場合は（Ｓ４８でＮＯ）、引き続きタイマ２００ｂによる計時が所定時間を経過したか否かを監視する。
【００６１】
タイマ２００ｂによる計時が所定時間（ここでは２秒）を経過した場合（Ｓ４８でＹＥＳ）、ＣＰＵ１０３ｂは、タッチパネル２２のタッチペン２０による入力を受付けるようにする（Ｓ４９）。すなわちＣＰＵ１０３ｂは入力を受付けて入力処理を開始するように指示信号を送出し、利用者の入力操作に応じて入力処理を実行する（Ｓ５０）。
【００６２】
上述のように、前工程に対応する画面から次工程に対応する画面に切替わった瞬間に利用者が無意識に意図しない入力を行ったとしても、画面が切替わってから所定時間経過するまでは入力を無視するため、利用者にとって損となるような意図しない画面進行が行われることを回避することができる。
【００６３】
なお、そのような利用者にとって損となるような画面進行が行われる可能性のある入力領域を含んだ画面が次工程で表示される場合のみ、上記のように所定時間が経過するまで入力を制限するようにしてもよい。利用者にとって損となるような意図しない画面進行が行われる可能性のある入力領域とは、例えば、「おしまいボタン」などの処理を強制的に終了させたり、プレイ時間を強制的に短縮されたりしてしまうような入力領域のことや、選択操作に関する入力を確定してしまう「ＯＫボタン」、「決定ボタン」などの一度選択してしまったら元に戻せないような動作が行われる入力領域などである。
【００６４】
また、上述のように誤入力により、利用者にとって損となるような利用者の意図しない画面進行が行われる可能性のある入力領域のみを、所定時間が経過するまで入力を受付けないようにしてもよい。そして、誤入力をしてしまったとしても工程の操作に影響が少ない入力領域は、所定時間入力を制限することなく、すぐに入力可能な状態になるようにしてもよい。上述の工程の操作に影響が少ない入力領域とは、例えば「ツールボタン」などの選択など、誤って入力操作をしてしまったとしても、容易に他の選択肢を再選択することが可能な入力領域のことである。
【００６５】
ステップＳ５０の入力処理では、撮影ブース６において撮影された撮影画像を編集操作モニタ２１に表示し、タッチパネル２２においてタッチペン２０によるスタンプ画像などの編集画像の入力を受付ける。
【００６６】
図１１は、編集画面の具体例を示す図である。編集操作モニタ２１に表示される編集画面は領域Ｌと領域Ｒとにわかれている。領域Ｌは、タッチペン２０Ｌによる操作入力を受け付け、領域Ｒは、タッチペン２０Ｒによる操作入力を受付ける。このように、編集操作モニタ２１に積層されるタッチパネル２２は、利用者の操作入力（タッチペン２０によるタッチ）を受付ける入力受付領域（領域Ｌと領域Ｒ）を複数有する。利用者は、それぞれの領域側にあるタッチペン２０を使用して同時に編集や各種の選択を可能にしている。写真プリント提供装置は複数人で使用されることが多いため、複数人が同時に編集可能な構成になっている。
【００６７】
編集画面は、編集入力処理が可能な残り時間（タイマ２００ｂが計時している時間）を表示するためのタイマ２００、撮影処理により撮影された複数の撮影画像を表示して、編集を行う撮影画像を選択するための画像選択エリア２０１、画像選択エリア２０１から選択された撮影画像を拡大表示して、背景画像、ペン画像、スタンプ画像などの編集画像を描画して編集を行うための編集エリア２０２、編集用の複数の編集機能を選択するための編集ツール２０３、各編集ツール２０３に対応したテンプレート２０４を表示するテンプレート表示エリア２０５、編集入力処理を終了させるためのおしまいボタン２１２などで主に構成されている。また、各編集ツールの各テンプレート２０４は、それぞれ複数のカテゴリに分類されており、タブ２２１によってわけられている。すなわち、タブ２２１はカテゴリ別に分類されており、テンプレート表示エリア２０５には同一カテゴリに属するテンプレート２０４が表示される。
【００６８】
また、編集画像を描画する際の機能ツールとして、現在選択中の撮影画像に対する画像編集をはじめからやり直すためのはじめからボタン２０６、入力された編集画像を消去するためのけしゴムボタン２０７、直前の編集画像の入力を取り消すためのひとつもどるボタン２０９、ひとつもどるボタン２０９で入力を取り消した場合に、もう一度取り消した状態を復活させるためのすすむボタン２１０、ペン画像の太さやスタンプ画像の大きさの調整を行うサイズボタン２１１などが配置される。これらの機能ツールは、編集ツール２０３の選択状態に応じて、選択されている編集ツール２０３や編集状態に対応した機能を実現する。
【００６９】
再び図１０を参照して、おしまいボタン２１２が押されるか、所定の編集制限時間に達するかして、編集入力処理が終了すると（Ｓ５１でＹＥＳ）、図７のステップＳ２６に進み、印刷画像選択画面を表示する。なお、編集画面から印刷画像選択画面へ移行するとき、印刷画像選択画面から印刷レイアウト選択画面へ移行するときにも、所定時間入力受付の制限を行ってもよい。
【００７０】
このように第１の実施例では、工程が次工程へ移行して、画像転送待機画面が編集画面に切替えられてから、所定の時間（ここでは２秒）が経過してから、タッチペン２０による入力を開始するようになっているため、所定の時間が経過するまでは実質的にタッチペン２０による編集入力処理を行うことができない。このため、画面が切替わった時に利用者が無意識に意図しない入力を行ったとしても、利用者の意図しない画面進行が行われることを回避することができる。
【００７１】
３−２−２．編集入力処理の第２の実施例
次に、図７のステップＳ２５における編集入力処理の動作の第２の実施例について図１２のフローチャートを用いて説明する。本実施例は、第１の実施例において、撮影操作モニタ２１の表示を切替えてからタッチペン２０の入力受付を開始するまでの間、説明画面を表示することを特徴とする。
【００７２】
なお、図１２のステップＳ６１〜ステップＳ６３までは、図１０のステップＳ４１〜ステップＳ４３と同様であるため詳細な説明は繰り返さない。
【００７３】
ＣＰＵ１０３ｂは、編集操作モニタ２１に表示されている画像転送待機画面をクリアしたら（Ｓ６３）、図１３が図示するように編集画面と説明画面３００とを表示するよう指示する（Ｓ６４）。
【００７４】
ついで、ＣＰＵ１０３ｂは、タイマ２００ｂによって計時（カウント）を開始する（Ｓ６５）。例えばこのとき、タッチパネル２２のタッチペン２０による入力があった場合でも（Ｓ６６でＹＥＳ）、該入力は無視し（Ｓ６７）、ステップＳ６８へ進む。タッチペン２０による入力がない場合（Ｓ６６でＮＯ）、ステップＳ６８へ進む。
【００７５】
第１の実施例と同様に、ＣＰＵ１０３ｂは、タッチパネル２２がタッチペン２０による入力があることを検出していても、入力処理は行わない。後述の入力の受付を開始したら、タッチペン２０による入力操作に応じて編集入力処理が行われる。
【００７６】
ＣＰＵ１０３ｂは、タイマ２００ｂによる計時が所定時間（ここでは２秒）を経過したか否かを監視する（Ｓ６８）。タイマ２００ｂによる計時が所定時間を経過していない場合は（Ｓ６８でＮＯ）、引き続き、タイマ２００ｂによる計時が所定時間を経過したか否かを監視する。
【００７７】
タイマ２００ｂによる計時が所定時間（ここでは２秒）を経過した場合（Ｓ６８でＹＥＳ）、ＣＰＵ１０３ｂは、タッチパネル２２のタッチペン２０による入力を受付けるようにする（Ｓ６９）。すなわちＣＰＵ１０３ｂはタッチペン２０による入力を受付けて入力処理を開始するように指示信号を送出し、図１４が図示するように説明画面３００上に、「閉じる」ボタン３０１を表示する（Ｓ７０）。ついで、タッチペン２０によって「閉じる」ボタン３０１にタッチされたか否かを監視する（Ｓ７１）。
【００７８】
「閉じる」ボタン３０１がタッチされない場合（Ｓ７１でＮＯ）、所定の時間（ここでは５秒）が経過したか判定する（Ｓ７２）。所定の時間が経過していない場合（Ｓ７２でＮＯ）はステップＳ７１へ戻る。「閉じる」ボタン３０１がタッチされたか（Ｓ７１でＹＥＳ）、所定の時間（ここでは５秒）が経過した場合（Ｓ７２でＹＥＳ）、説明画面３００を消去して（Ｓ７３）、第１の実施例と同様に、入力処理を行う（Ｓ７４）。編集入力処理が終了したら（Ｓ７５）、図７のステップＳ２６へ進む。
【００７９】
なお、説明画面３００は、図示のように小さく編集画面上に表示されているが、編集画面とは別の画面で構成し、大きく表示されてもよい。
【００８０】
また、上記では所定の時間が経過した後、説明画面３００上に「閉じる」ボタン３０１を表示しているが、「閉じる」ボタン３０１を配備しなくてもよい。例えば、所定の時間が経過した後、編集画面上の任意の位置をタッチペン２０でタッチすることによって、説明画面３００を閉じるようにしてもよい。このようにすることによって、スムーズに編集入力処理へ移行することができる。
【００８１】
このように第２の実施例では、工程が次工程へ移行して、画像転送中画面が編集画面に切替えられるとき、所定の時間（ここでは２秒）が経過するまでは、タッチペン２０による入力の受付を制限する。さらに撮影操作モニタ２１の表示を切替えてからタッチペン２０の入力受付を開始するまでの間、説明画面３００を表示する。
【００８２】
タッチパネル２２のタッチペン２０による入力の受付を開始するまで、前記表示手段に工程に関する説明画面３００を表示することによって、利用者は入力の受付の制限を行っていることに気付き難く、利用者に違和感を感じさせないようにすることができる。また、自然に次の工程に移行できる。さらに、説明画面３００を表示するため、利用者に次の工程の操作方法などの案内をすることができる。このため、利用者は次の工程の操作をスムーズに行うことができる。
【００８３】
３−２−３．編集入力処理の第３の実施例
次に、図７のステップＳ２５における編集入力処理の動作の第３の実施例について図１５のフローチャートを用いて説明する。本実施例は、撮影操作モニタ２１の表示を切替えてから所定の時間が経過するまでに入力操作がなされた場合は、確認画面を表示し、所定の時間が経過した後に入力操作がなされた場合は、そのまま入力処理をすることを特徴とする。本実施例においては、第１の実施例や第２の実施例のように所定時間の入力制限は行わない。
【００８４】
なお、図１２のステップＳ８１〜ステップＳ８５までは、図１０のステップＳ４１〜ステップＳ４５と同様であるため詳細な説明は繰り返さない。
【００８５】
ＣＰＵ１０３ｂは、編集画面を表示したら（Ｓ８４でＹＥＳ）、タイマ２００ｂによって計時（カウント）を開始する（Ｓ８５）。そして、タッチペン２０による入力の受付けを開始スル（Ｓ８６）。このとき、タッチパネル２２に対するタッチペン２０による入力があった場合で（Ｓ８７でＹＥＳ）、入力された領域が「おしまいボタン」などの、プレイを強制的に終了する指示を出すような入力領域である場合は、図１６が図示するような確認画面３０５を表示し（Ｓ８８）、ステップＳ８９へ進む。タッチペン２０による入力がない場合（Ｓ８８でＮＯ）、ステップＳ８９へ進む。
【００８６】
図１６の確認画面３０５は、「おしまいボタン」をタッチしてしまった場合に表示される確認画面の具体例である。このような確認画面３０５は、例えば、「おしまいボタン」などのプレイを強制的に終了させたり、プレイ時間を強制的に短縮させたりしてしまうような入力領域のことや、選択操作に関する入力を確定してしまう「ＯＫボタン」、「決定ボタン」などの一度選択してしまったら元に戻せないような動作が行われる入力領域などの利用者に損となるような画面進行が行われる領域に対して入力操作があったときのみ表示されることが好ましい。
【００８７】
上述のように、確認画面３０５を表示することによって、前工程に対応する画面から次工程に対応する画面に切替わった瞬間に利用者が無意識に意図しない入力を行ったとしても、画面が切替わってから所定時間経過するまでは確認画面３０５が表示されるため、利用者にとって損となるような意図しない画面進行が行われることを回避することができる。
【００８８】
そして、ＣＰＵ１０３ｂは、タイマ２００ｂによる計時が所定時間（ここでは２秒）を経過したか否かを監視する（Ｓ８９）。タイマ２００ｂによる計時が所定時間を経過していない場合は（Ｓ８９でＮＯ）、引き続き、タイマ２００ｂによる計時が所定時間を経過したか否かを監視する。
【００８９】
タイマ２００ｂによる計時が所定時間（ここでは２秒）を経過したあと（Ｓ８９でＹＥＳ）、タッチパネル２２に対するタッチペン２０による入力があった場合（Ｓ９０でＹＥＳ）、
ＣＰＵ１０３ｂはタッチペン２０による入力を受付けて入力処理を行う（Ｓ９１）。例えば、このときに入力された領域が「おしまいボタン」などのプレイを強制的に終了する指示を出すような入力領域である場合であっても、上述のような確認画面３０５は表示しない。確認画面３０５の表示には時間制限がないため、確認画面３０５を表示したまま放置されるとプレイ時間が長引いてしまい回転率が悪くなるという問題がある。このため、所定時間が経過したあとは、「おしまいボタン」などのプレイを強制的に終了する指示を出すような入力領域がタッチされたとしても確認画面３０５を表示せずに、そのまま処理を実行する。そして、編集入力処理が終了したら（Ｓ９２）、図７のステップＳ２６へ進む。
【００９０】
このように第３の実施例では、工程が次工程へ移行して、画像転送中画面が編集画面に切替えられるとき、所定の時間（ここでは２秒）が経過するまでは、タッチペン２０による入力があった場合に確認画面３０５を表示する。そして、所定の時間が経過した後はタッチペン２０による入力があっても確認画面３０５を表示しない。
【００９１】
上述のように、確認画面３０５を表示することによって、前工程に対応する画面から次工程に対応する画面に切替わった瞬間に利用者が無意識に意図しない入力を行ったとしても、画面が切替わってから所定時間経過するまでは確認画面３０５が表示されるため、利用者にとって損となるような意図しない画面進行が行われることを回避することができる。さらに、所定時間経過後は、入力があった場合にその都度確認画面３０５が表示されることはないため、確認画面３０５を表示したまま放置され、プレイ時間が長引いてしまうということを防止することができる。
【００９２】
上記３つの実施例における発明によれば、表示手段に表示された画面を切替えてから所定の時間が経過してから、前記受付手段による入力の受付を開始するため、画面が切替わった時に利用者が無意識に意図しない入力を行ったとしても、利用者の意図しない画面進行が行われることを回避することができる。
【００９３】
また、前の工程においてタッチペン２０の入力を受付けない場合（本実施形態においては、図９に示すような画像転送待機画面が表示されている場合）に、利用者は意図しない誤入力を行いやすい傾向がある。したがって、前の工程においてタッチペン２０の入力を受付けない場合に、次の工程で所定の時間経過後に入力の受付けを開始するよう制御すると、より効果が高い。
【００９４】
以上、本実施の形態では、写真シール作成装置１を示したが、タッチパネルディスプレイのような受付手段を備え、工程毎に画面が切替わるような遊戯装置に上記発明を適用することができる。
【００９５】
さらに、上述の写真シール作成装置で実行される制御方法を、制御プログラムとして提供することもできる。このようなプログラムは、コンピュータに付属するフレキシブルディスク、ＣＤ−ＲＯＭ（Compact Disc-Read Only Memory）、ＲＯＭ（Read Only Memory）、ＲＡＭ（Random
Access Memory ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９６】
提供されるプログラム製品は、ＨＤＤなどのプログラム格納部にインストールされて実行される。なお、プログラム製品は、プログラム自体と、プログラムが記録された記録媒体とを含む。
【００９７】
以上、本発明の実施の形態を説明したが、上述した実施の形態は本発明を実施するため
の例示に過ぎない。よって、本発明は上述した実施の形態に限定されることなく、その趣
旨を逸脱しない範囲内で上述した実施の形態を適宜変形して実施することが可能である。
【図面の簡単な説明】
【００９８】
【図１】本発明の実施の形態による画像編集装置を備えた写真シール作成装置の外部構成を示す斜視図である。
【図２】図１に示した写真シール作成装置の外観構成を側面からみた図である。
【図３】図１及び図２に示した写真シール作成装置の外部構成を上から見た図である。
【図４】図１〜図３に示した写真シール作成装置における画像編集装置の斜視図である。
【図５】図１〜図４に示した写真シール作成装置の機能構成を示すブロック図である。
【図６】写真シール作成装置の撮影処理の動作を示すフロー図である。
【図７】写真シール作成装置の編集処理及び印刷処理の動作を示すフロー図である。
【図８】待機画面の具体例を示す図である。
【図９】画像転送待機画面の具体例を示す図である。
【図１０】図７のステップＳ２５の、編集入力処理の動作の第１の実施例を示すフロー図である。
【図１１】編集画面の具体例を示す図である。
【図１２】図７のステップＳ２５の、編集入力処理の動作の第２の実施例を示すフロー図である。
【図１３】説明画面が表示された編集画面の具体例を示す図である。
【図１４】「閉じる」ボタンが表示された説明画面の具体例を示す図である。
【図１５】図７のステップＳ２５の、編集入力処理の動作の第３の実施例を示すフロー図である。
【図１６】確認画面が表示された編集画面の具体例を示す図である。
【符号の説明】
【００９９】
１  写真シール作成装置、  ２０  タッチペン、  ２１  編集操作モニタ、  ２２  タッチパネル、２５  画像編集装置、１０１  コンピュータ装置、２００  タイマ、３００  説明画面、３０１  閉じるボタン、３０５  確認画面
【図１】
2007079929.tif 000003
【図２】
2007079929.tif 000004
【図３】
2007079929.tif 000005
【図４】
2007079929.tif 000006
【図５】
2007079929.tif 000007
【図６】
2007079929.tif 000008
【図７】
2007079929.tif 000009
【図８】
2007079929.tif 000010
【図９】
2007079929.tif 000011
【図１０】
2007079929.tif 000012
【図１１】
2007079929.tif 000013
【図１２】
2007079929.tif 000014
【図１３】
2007079929.tif 000015
【図１４】
2007079929.tif 000016
【図１５】
2007079929.tif 000017
【図１６】
2007079929.tif 000018